(57)【要約】【課題】受信品質を向上させる。【解決手段】受信装置１は、ダイバーシティ方式による２系統の構成を有している。アンテナ１１−１，１１−２は、それぞれ、送信装置２から送信されたＯＦＤＭ信号の電波を受信し、中間周波増幅部１３−１，１３−２は、それぞれ、チューナ１２−１，１２−２で視聴チャンネルのＯＦＤＭ信号が特定の周波数に変換された中間周波信号を増幅する。ＡＧＣ部１５−１，１５−２は、それぞれ、復調部１４−１，１４−２が検出した中間周波信号の振幅値と基準振幅値との差に基づいて利得制御信号を生成する。ＡＧＣ部１５−１，１５−２は、それぞれ、この利得制御信号の時定数を決定する時定数制御部を備え、制御部１８は、この時定数を異なるように設定する。デコーダ／ＶＩＤＥＯエンコーダ部１６は、復調部１４−１，１４−２の誤り率を比較し、誤り率が小さい方のＴＳを有効なデータとして選択する。【選択図】図１
2010206312.tif 000002
【特許請求の範囲】
【請求項１】
搬送波を原信号で変調した送信信号を受信する受信部と、
前記受信部が受信した信号の周波数を変換して周波数変換信号を生成するとともに、供給された利得制御信号に従って前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成するとともに、利得追従時定数に従って前記利得制御信号を変化させて前記周波数変換増幅部に供給することにより、前記周波数変換増幅部の利得を制御する利得制御部と、
前記周波数変換増幅部が生成した前記周波数変換信号に対する復調処理を行う復調部と、を複数系統備えて、前記複数の利得制御部の前記利得追従時定数を異なる値に設定し、
前記複数の復調部が復調した信号の誤りを比較して誤りの少ない信号を選択し、選択した信号を前記原信号として取得する原信号取得部と、を備えた、
ことを特徴とする受信装置。
【請求項２】
搬送波を原信号で変調した信号を受信する受信部と、
前記受信部が受信した信号の周波数を変換して周波数変換信号を生成するとともに、供給された利得制御信号に従って前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成し、生成した利得制御信号を前記周波数変換増幅部に供給することにより、前記周波数変換増幅部の利得を制御する利得制御部と、
前記周波数変換増幅部が生成した前記周波数変換信号に対する復調処理を行う復調部と、を複数系統備えて、前記複数の利得制御部の各基準振幅値を異なる値に設定し、
前記複数の復調部が復調した信号の誤りを比較して誤りの少ない信号を選択し、選択した信号を前記原信号として取得する原信号取得部と、を備えた、
ことを特徴とする受信装置。
【請求項３】
搬送波を原信号で変調した送信信号を受信し、この受信した信号を供給された利得制御信号に従って増幅する受信部と、
前記受信部が増幅した信号の周波数を変換して周波数変換信号を生成するとともに、生成した前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成するとともに、利得追従時定数に従って前記利得制御信号を変化させて前記受信部に供給することにより、前記受信部の利得を制御する利得制御部と、
前記周波数変換増幅部が生成した前記周波数変換信号に対する復調処理を行う復調部と、を複数系統備えて、前記複数の利得制御部の前記利得追従時定数を異なる値に設定し、
前記複数の復調部が復調した信号の誤りを比較して誤りの少ない信号を選択し、選択した信号を前記原信号として取得する原信号取得部と、を備えた、
ことを特徴とする受信装置。
【請求項４】
搬送波を原信号で変調した送信信号を受信し、この受信した信号を供給された利得制御信号に従って増幅する受信部と、
前記受信部が増幅した信号の周波数を変換して周波数変換信号を生成するとともに、生成した前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成し、生成した前記利得制御信号を前記受信部に供給することにより、前記受信部の利得を制御する利得制御部と、
前記周波数変換増幅部が生成した前記周波数変換信号に対する復調処理を行う復調部と、を複数系統備えて、前記複数の利得制御部の各基準振幅値を異なる値に設定し、
前記複数の復調部が復調した信号の誤りを比較して誤りの少ない信号を選択し、選択した信号を前記原信号として取得する原信号取得部と、を備えた、
ことを特徴とする受信装置。
【請求項５】
搬送波を原信号で変調した信号を受信する受信部と、
前記受信部が受信した信号の周波数を変換して周波数変換信号を生成するとともに、供給された利得制御信号に従って前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成するとともに、利得追従時定数に従って前記利得制御信号を変化させて前記周波数変換増幅部に供給することにより、前記周波数変換増幅部の利得を制御する利得制御部と、
前記周波数変換増幅部が生成した前記周波数変換信号に対する復調処理を行う復調部と、を複数系統備えた受信装置の受信方法であって、
前記複数の利得制御部の利得追従時定数を異なる値に設定するステップと、
前記複数の復調部が復調した信号の誤りを比較して誤りの少ない信号を選択し、選択した信号を前記原信号として取得するステップと、を備えた、
ことを特徴とする受信装置の受信方法。
【請求項６】
搬送波を原信号で変調した送信信号を受信する受信部と、
前記受信部が受信した信号の周波数を変換して周波数変換信号を生成するとともに、供給された利得制御信号に従って前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成し、生成した利得制御信号を前記周波数変換増幅部に供給することにより、前記周波数変換増幅部の利得を制御する利得制御部と、
前記周波数変換増幅部が生成した前記周波数変換信号に対する復調処理を行う復調部と、を複数系統備えた受信装置の受信方法であって、
前記複数の利得制御部の基準振幅値を異なる値に設定するステップと、
前記複数の復調部が復調した信号の誤りを比較して誤りの少ない信号を選択し、選択した信号を前記原信号として取得するステップと、を備えた、
ことを特徴とする受信装置の受信方法。
【請求項７】
搬送波を原信号で変調した送信信号を受信し、この受信した信号を供給された利得制御信号に従って増幅する受信部と、
前記受信部が増幅した信号の周波数を変換して周波数変換信号を生成するとともに、生成した前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成するとともに、利得追従時定数に従って前記利得制御信号を変化させて前記受信部に供給することにより、前記受信部の利得を制御する利得制御部と、
前記周波数変換増幅部が生成した前記周波数変換信号に対する復調処理を行う復調部と、を複数系統備えた受信装置の受信方法であって、
前記複数の利得制御部の利得追従時定数を異なる値に設定するステップと、
前記複数の復調部が復調した信号の誤りを比較して誤りの少ない信号を選択し、選択した信号を前記原信号として取得するステップと、を備えた、
ことを特徴とする受信装置の受信方法。
【請求項８】
搬送波を原信号で変調した送信信号を受信し、この受信した信号を供給された利得制御信号に従って増幅する受信部と、
前記受信部が増幅した信号の周波数を変換して周波数変換信号を生成するとともに、生成した前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成し、生成した前記利得制御信号を前記受信部に供給することにより、前記受信部の利得を制御する利得制御部と、
前記周波数変換増幅部が生成した前記周波数変換信号に対する復調処理を行う復調部と、を複数系統備えた受信装置の受信方法であって、
前記複数の利得制御部の基準振幅値を異なる値に設定するステップと、
前記複数の復調部が復調した信号の誤りを比較して誤りの少ない信号を選択し、選択した信号を前記原信号として取得するステップと、を備えた、
ことを特徴とする受信装置の受信方法。
【発明の詳細な説明】
【技術分野】
【０００１】
本発明は、受信装置及び受信装置の受信方法に関するものである。
【背景技術】
【０００２】
従来、受信装置として、受信信号のレベルを調整する可変減衰器、増幅器を複数段接続し、最終段の出力電圧を直流電圧に変換し、この直流電圧と基準電圧との電圧差に基づいて可変減衰器、増幅器の時定数を可変するものがある（例えば、特許文献１参照）。しかし、この受信装置では、受信から復調まで、１系統であるため、フェージングに適切に対応できず、受信品質は劣る。
【０００３】
一方、例えば、地上デジタル放送受信機においては、受信品質を向上させるため、ダイバーシティ方式による受信装置が提案されている。従来のダイバーシティ方式による受信装置は、十分なアンテナ間距離を確保することができる車載用として用いられている。
【先行技術文献】
【特許文献】
【０００４】
【特許文献１】特開平１１−３１２９３８号公報
【発明の概要】
【発明が解決しようとする課題】
【０００５】
しかし、ダイバーシティ方式の受信装置を、例えば、携帯電話機のような小型の携帯機器に搭載した場合、アンテナ間の距離が短く、各アンテナ間の受信品質に差が出にくい。このため、ダイバーシティの特徴である受信品質を向上させる効果を得ることが難しくなる。
【０００６】
本発明は、このような従来の問題点に鑑みてなされたもので、受信品質を向上させることが可能な受信装置及び受信装置の受信方法を提供することを目的とする。
【課題を解決するための手段】
【０００７】
この目的を達成するため、本発明の第１の観点に係る受信装置は、
搬送波を原信号で変調した送信信号を受信する受信部と、
前記受信部が受信した信号の周波数を変換して周波数変換信号を生成するとともに、供給された利得制御信号に従って前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成するとともに、利得追従時定数に従って前記利得制御信号を変化させて前記周波数変換増幅部に供給することにより、前記周波数変換増幅部の利得を制御する利得制御部と、
前記周波数変換増幅部が生成した前記周波数変換信号に対する復調処理を行う復調部と、を複数系統備えて、前記複数の利得制御部の前記利得追従時定数を異なる値に設定し、
前記複数の復調部が復調した信号の誤りを比較して誤りの少ない信号を選択し、選択した信号を前記原信号として取得する原信号取得部と、を備えたことを特徴とする。
【０００８】
本発明の第２の観点に係る受信装置は、
搬送波を原信号で変調した信号を受信する受信部と、
前記受信部が受信した信号の周波数を変換して周波数変換信号を生成するとともに、供給された利得制御信号に従って前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成し、生成した利得制御信号を前記周波数変換増幅部に供給することにより、前記周波数変換増幅部の利得を制御する利得制御部と、
前記周波数変換増幅部が生成した前記周波数変換信号に対する復調処理を行う復調部と、を複数系統備えて、前記複数の利得制御部の各基準振幅値を異なる値に設定し、
前記複数の復調部が復調した信号の誤りを比較して誤りの少ない信号を選択し、選択した信号を前記原信号として取得する原信号取得部と、を備えたことを特徴とする。
【０００９】
本発明の第３の観点に係る受信装置は、
搬送波を原信号で変調した送信信号を受信し、この受信した信号を供給された利得制御信号に従って増幅する受信部と、
前記受信部が増幅した信号の周波数を変換して周波数変換信号を生成するとともに、生成した前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成するとともに、利得追従時定数に従って前記利得制御信号を変化させて前記受信部に供給することにより、前記受信部の利得を制御する利得制御部と、
前記周波数変換増幅部が生成した前記周波数変換信号に対する復調処理を行う復調部と、を複数系統備えて、前記複数の利得制御部の前記利得追従時定数を異なる値に設定し、
前記複数の復調部が復調した信号の誤りを比較して誤りの少ない信号を選択し、選択した信号を前記原信号として取得する原信号取得部と、を備えたことを特徴とする。
【００１０】
本発明の第４の観点に係る受信装置は、
搬送波を原信号で変調した送信信号を受信し、この受信した信号を供給された利得制御信号に従って増幅する受信部と、
前記受信部が増幅した信号の周波数を変換して周波数変換信号を生成するとともに、生成した前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成し、生成した前記利得制御信号を前記受信部に供給することにより、前記受信部の利得を制御する利得制御部と、
前記周波数変換増幅部が生成した前記周波数変換信号に対する復調処理を行う復調部と、を複数系統備えて、前記複数の利得制御部の各基準振幅値を異なる値に設定し、
前記複数の復調部が復調した信号の誤りを比較して誤りの少ない信号を選択し、選択した信号を前記原信号として取得する原信号取得部と、を備えたことを特徴とする。
【００１１】
本発明の第５の観点に係る受信装置の受信方法は、
搬送波を原信号で変調した信号を受信する受信部と、
前記受信部が受信した信号の周波数を変換して周波数変換信号を生成するとともに、供給された利得制御信号に従って前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成するとともに、利得追従時定数に従って前記利得制御信号を変化させて前記周波数変換増幅部に供給することにより、前記周波数変換増幅部の利得を制御する利得制御部と、
前記周波数変換増幅部が生成した前記周波数変換信号に対する復調処理を行う復調部と、を複数系統備えた受信装置の受信方法であって、
前記複数の利得制御部の利得追従時定数を異なる値に設定するステップと、
前記複数の復調部が復調した信号の誤りを比較して誤りの少ない信号を選択し、選択した信号を前記原信号として取得するステップと、を備えたことを特徴とする。
【００１２】
本発明の第６の観点に係る受信装置の受信方法は、
搬送波を原信号で変調した送信信号を受信する受信部と、
前記受信部が受信した信号の周波数を変換して周波数変換信号を生成するとともに、供給された利得制御信号に従って前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成し、生成した利得制御信号を前記周波数変換増幅部に供給することにより、前記周波数変換増幅部の利得を制御する利得制御部と、
前記周波数変換増幅部が生成した前記周波数変換信号に対する復調処理を行う復調部と、を複数系統備えた受信装置の受信方法であって、
前記複数の利得制御部の基準振幅値を異なる値に設定するステップと、
前記複数の復調部が復調した信号の誤りを比較して誤りの少ない信号を選択し、選択した信号を前記原信号として取得するステップと、を備えたことを特徴とする。
【００１３】
本発明の第７の観点に係る受信装置の受信方法は、
搬送波を原信号で変調した送信信号を受信し、この受信した信号を供給された利得制御信号に従って増幅する受信部と、
前記受信部が増幅した信号の周波数を変換して周波数変換信号を生成するとともに、生成した前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成するとともに、利得追従時定数に従って前記利得制御信号を変化させて前記受信部に供給することにより、前記受信部の利得を制御する利得制御部と、
前記周波数変換増幅部が生成した前記周波数変換信号に対する復調処理を行う復調部と、を複数系統備えた受信装置の受信方法であって、
前記複数の利得制御部の利得追従時定数を異なる値に設定するステップと、
前記複数の復調部が復調した信号の誤りを比較して誤りの少ない信号を選択し、選択した信号を前記原信号として取得するステップと、を備えたことを特徴とする。
【００１４】
本発明の第８の観点に係る受信装置の受信方法は、
搬送波を原信号で変調した送信信号を受信し、この受信した信号を供給された利得制御信号に従って増幅する受信部と、
前記受信部が増幅した信号の周波数を変換して周波数変換信号を生成するとともに、生成した前記周波数変換信号を増幅する周波数変換増幅部と、
前記周波数変換増幅部が増幅した前記周波数変換信号の振幅値を検出する振幅検出部と、
基準振幅値と前記振幅検出部が検出した前記周波数変換信号の振幅値との差に基づいて前記利得制御信号を生成し、生成した前記利得制御信号を前記受信部に供給することにより、前記受信部の利得を制御する利得制御部と、
前記周波数変換増幅部が生成した前記周波数変換信号に対する復調処理を行う復調部と、を複数系統備えた受信装置の受信方法であって、
前記複数の利得制御部の基準振幅値を異なる値に設定するステップと、
前記複数の復調部が復調した信号の誤りを比較して誤りの少ない信号を選択し、選択した信号を前記原信号として取得するステップと、を備えたことを特徴とする。
【発明の効果】
【００１５】
本発明によれば、受信品質を向上させることができる。
【図面の簡単な説明】
【００１６】
【図１】本発明の実施形態に係る受信装置の構成と送信装置とを示すブロック図である。
【図２】デジタル放送に用いられるＴＳ（トランスポートストリーム）を説明するための図である。
【図３】図１に示す送信装置の機能を示すブロック図である。
【図４】図１に示す受信装置のチューナの構成を示すブロック図である。
【図５】図１に示す受信装置の復調部とＡＧＣ部との構成を示すブロック図である。
【図６】周波数とゲインとの関係を示す図である。
【図７】応用例として、受信装置の復調部とＡＧＣ部との構成を示すブロック図である。
【発明を実施するための形態】
【００１７】
以下、本発明の実施形態に係る装置を図面を参照して説明する。
（実施形態１）
実施形態１に係る受信装置の構成及び送信装置を図１に示す。
実施形態１に係る受信装置１、送信装置２は、それぞれ、ＯＦＤＭ（Orthogonal Frequency Division Multiplexing；直交周波数分割多重）方式に従って、デジタル放送のデジタルテレビジョン信号を受信、送信するものである。このＯＦＤＭ方式では、視聴中のテレビチャンネルのデジタルテレビジョン信号は、複数のキャリア（搬送波）を変調することによって伝送される。
【００１８】
まず、送信装置２は、ＭＰＥＧ（Moving Picture Experts Group）−２  ＴＳ（Transport Stream）方式に従い、図２に示すようなＴＳ（Transport Stream）を生成する。ＴＳは、複数のＴＳＰ（Transport Stream Packet）からなる。
【００１９】
各ＴＳＰは、同期バイトであるＴＨ（Transport Stream Header）とペイロード部とＲＳ部とからなり、デジタルテレビジョン信号のデータは、ペイロード部に圧縮符号化されて格納される。ＲＳ部は、誤り訂正を行うためのＲＳ符号（Reed-Solomon Code）を格納するところである。
【００２０】
デジタルテレビジョン信号が、例えば、１セグメント放送と１２セグメント放送の２つの階層の信号の場合、送信装置２は、１セグメント放送のＴＳと１２セグメント放送のＴＳとのＴＳ再多重を行い、ＲＳ符号化を行って各ＴＳＰのＲＳ部にＲＳ符号を格納する。
【００２１】
送信装置２は、図３に示すように、階層分割を行って階層別に種々の処理を行い、搬送波（キャリア）を原信号としてのデジタルテレビジョン信号で変調してサブキャリア変調を行い、階層合成する。
【００２２】
送信装置２は、階層合成されたデータに対して時間インターリーブ、周波数インターリーブを行い、インターリーブが行われたデータに、スキャッタードパイロット信号（以後、「ＳＰ信号」と記す。）、ＴＭＣＣ（Transmission and Multiplexing Configuration Control）、ＡＣ（Auxiliary Channel）信号を付加してＯＦＤＭセグメントフレームと呼ばれるデータブロックを構成する。
【００２３】
このＳＰ信号は、ＯＦＤＭセグメントフレームのデータの位相と振幅を示す信号であり、データの周波数軸方向、時間軸方向に予め設定された間隔で付加される。ＴＭＣＣは、伝送パラメータを指定する制御信号でありＡＣは、放送事業者が伝送制御に関する付加情報を送るためのチャンネルである。
【００２４】
送信装置２は、ＯＦＤＭセグメントフレームの各ブロックデータに対してＩＦＦＴ（Inverse Fast Fourier Transform；逆フーリエ変換）を行って周波数上のデータを時間上のデータに変換する。
【００２５】
そして、送信装置２は、ＧＩ（ガード・インターバル）を付加し、周波数変換を行って、生成したＯＦＤＭ信号を電波として送信する。ＧＩは、マルチパスによる影響を軽減するための冗長信号である。
【００２６】
受信装置１は、図１に示すように、アンテナ１１−１，１１−２と、チューナ１２−１，１２−２と、中間周波増幅部１３−１，１３−２と、復調部１４−１，１４−２と、ＡＧＣ部１５−１，１５−２と、デコーダ／ＶＩＤＥＯエンコーダ部１６と、表示部１７と、制御部１８と、を備える。このように受信装置１は、ダイバーシティ方式による２系統の構成を有している。
【００２７】
アンテナ１１−１，１１−２は、それぞれ、送信装置２から送信されたＯＦＤＭ信号の電波を受信するものである。
【００２８】
チューナ１２−１，１２−２は、それぞれ、デジタル放送のＯＦＤＭ信号を高周波増幅し、増幅した信号をダウンコンバート（周波数変換）して、受信を希望する周波数変換信号としての中間周波信号を生成するものである。
【００２９】
このため、チューナ１２−１，１２−２は、それぞれ、図４に示すように、ＬＮＡ（Low Noise Amplifier、高周波増幅部）２１と、ＢＰＦ（Band-Pass Filter）２２と、周波数変換部２３と、ＢＰＦ（Band-Pass Filter）２４と、局部発振器２５と、を備える。
【００３０】
ＬＮＡ２１は、アンテナ１１−１，１１−２の出力端に接続され、入力された受信信号を高周波増幅するものである。
【００３１】
ＢＰＦ２２は、ＬＮＡ２１から入力された受信信号に帯域制限を施し、デジタル放送のＯＦＤＭ信号を通過させ、他の妨害波を制限する。
【００３２】
周波数変換部２３は、ＢＰＦ２２が通過させたデジタル放送のＯＦＤＭ信号を局部発振器２５から入力するローカル信号の周波数だけアップコンバート及びダウンコンバートし、この周波数変換されたデジタル放送のＯＦＤＭ信号を出力する。
【００３３】
ＢＰＦ２４（Band-Pass Filter）は、周波数変換部２３から出力されるダウンコンバートされたデジタル放送のＯＦＤＭ信号に帯域制限を施し、受信を希望するチャンネルのＯＦＤＭ信号を通過させ、周波数変換信号としての中間周波信号を生成するものである。
【００３４】
局部発振器２５は、受信を希望するテレビチャンネルのＯＦＤＭ信号が、ＢＰＦ２４を通過する特定の周波数（帯域）となるように、出力するローカル信号の周波数を選択する。
【００３５】
中間周波増幅部１３−１，１３−２は、それぞれ、チューナ１２−１，１２−２が生成した中間周波信号を増幅するものである。
【００３６】
復調部１４−１，１４−２は、それぞれ、中間周波増幅部１３−１，１３−２が増幅した中間周波信号に対する復調処理を行って、ＴＳを取り出すものであり、図５に示すように、ＡＤＣ（Ａ／Ｄコンバータ）３１と、振幅検出回路３２と、ＦＦＴ（Fast Fourier Transform；フーリエ変換）回路（図中、「ＦＦＴ」と記す。）３３と、パイロット信号検出回路３４と、伝送路推定回路３５と、波形等価回路３６と、復調回路３７と、誤り訂正回路３８と、を備える。
【００３７】
ＡＤＣ３１は、中間周波増幅部１３−１（又は１３−２）が増幅した中間周波信号のデジタル変換を行うものである。
【００３８】
振幅検出回路３２は、ＡＤＣ３１が変換したデジタル信号（中間周波信号）の振幅値を検出するものである。
【００３９】
ＦＦＴ回路３３は、ＡＤＣ３１が変換したデジタル信号に対してＧＩを除去した後、ＦＦＴ処理を施して、時間上のデータを周波数上のデータに変換するものである。この変換によりＯＦＤＭセグメントフレームが復元される。
【００４０】
パイロット信号検出回路３４は、ＦＦＴ回路３３が変換したＯＦＤＭセグメントフレームからＳＰ信号を取り出すものである。
【００４１】
伝送路推定回路３５は、パイロット信号検出回路３４が検出したＳＰ信号の振幅及び位相に基づいて伝送路の推定を行うものである。パイロット信号検出回路３４が取り出したＳＰ信号は、前述のようにデータ列の周波数軸方向、時間軸方向に予め設定された間隔で付加されている。
【００４２】
このため、伝送路推定回路３５は、このＳＰ信号の変化を周波数軸方向で補間処理を行うことによって伝送路の周波数特性を推定する。また、伝送路推定回路３５は、ＳＰ信号の変化を時間軸方向で観測することにより伝送路の時間的特性を推定する。
【００４３】
波形等価回路３６は、伝送路推定回路３５の推定結果に基づいて、ＦＦＴ回路３３から供給されたデータに波形等価（振幅等価及び位相等価）処理を施すものである。
【００４４】
復調回路３７は、周波数デインターリーブ、時間デインターリーブを行い、階層別に種々の処理を行ってＴＳを復調するものである。
【００４５】
誤り訂正回路３８は、復調回路３７が復調したＴＳに対して誤り訂正処理を行うものである。前述のように、各ＴＳＰにはＲＳ符号が含まれているので、誤り訂正回路３８は、このＲＳ符号に基づいて誤り訂正処理を行う。
【００４６】
ＡＧＣ（Automatic Gain Control）部１５−１，１５−２は、それぞれ、復調部１４−１，１４−２の振幅検出回路３２から供給された振幅値に基づいて利得制御信号を生成するものである。
【００４７】
受信電波の電界強度が変動すると、中間周波信号の振幅値も変動する。中間周波信号の振幅値が上限値を越えるとＯＦＤＭ信号の複数のサブキャリア間で相互変調がかかり、歪みや干渉が発生してしまうため、中間周波信号を線形領域で処理する必要がある。
【００４８】
ＡＧＣ部１５−１，１５−２は、それぞれ、中間周波増幅部１３−１，１３−２の利得を制御して中間周波信号を線形領域で処理できるように備えられたものであり、復調部１４−１，１４−２の振幅検出回路３２からそれぞれ供給された振幅値を利得制御に利用する。
【００４９】
このため、ＡＧＣ部１５−１，１５−２は、それぞれ、図５に示すように、基準振幅信号生成部４１と、加算器４２と、フィルタ４３と、ＤＡＣ（Ｄ／Ａコンバータ）４４と、時定数制御部４５と、を備える。
【００５０】
基準振幅信号生成部４１は、基準振幅値を有する基準振幅信号を生成するものである。この基準振幅値は、例えば、振幅検出回路３２が検出した振幅値の最大値に設定される。
【００５１】
加算器４２は、基準振幅信号生成部４１が生成した基準振幅信号の基準振幅値から振幅検出回路３２が検出した振幅値を減算し、その差に基づいてＡＧＣ電圧を生成するものである。
【００５２】
基準振幅値が、振幅検出回路３２が検出した振幅値の最大値に設定されることにより、中間周波信号の振幅値が大きくなるに従ってＡＧＣ電圧は小さくなる。
【００５３】
フィルタ４３は、加算器４２が出力したＡＧＣ電圧に対してフィルタリングを行って、デジタルの利得制御信号を生成するデジタルフィルタである。
【００５４】
ＤＡＣ４４は、フィルタ４３を通過したデジタルの利得制御信号をアナログの利得制御信号に変換するものである。ＤＡＣ４４は、変換したアナログの利得制御信号を中間周波増幅部１３−１，１３−２に供給する。
【００５５】
時定数制御部４５は、制御部１８から供給された信号に従ってフィルタ４３の時定数を決定するものである。この時定数によって信号変動に対するＡＧＣ制御の追従性が決定される。本実施形態１では、ＡＧＣ部１５−１，１５−２の時定数制御部４５が決定する時定数をそれぞれ、τ１，τ２として、時定数τ１と時定数τ２とが異なるように予め設定される。また、本実施形態１では、例えば、τ１＜τ２に設定される。
【００５６】
デコーダ／ＶＩＤＥＯエンコーダ部１６は、復調部１４−１，１４−２が復調したＴＳから原信号としてのデジタルテレビジョン信号を取り出すものである。
【００５７】
デコーダ／ＶＩＤＥＯエンコーダ部１６には、ＴＳが供給されるポートが２系統備えられ、復調部１４−１，１４−２から、各ポートに、ＴＳが供給される。
【００５８】
デコーダ／ＶＩＤＥＯエンコーダ部１６は、復調部１４−１，１４−２のそれぞれの誤り訂正回路３８が誤り訂正を行った後の誤り率を比較して、供給された２つのＴＳのうちで有効なデータを選択し、選択した有効なデータをデコードしてデジタルテレビジョン信号の映像信号と音声信号とを取り出す。
【００５９】
尚、誤り率は、データ全体と誤り訂正回路３８の誤り訂正によっても誤りが訂正できなかった誤ったデータとの比率を示し、誤り率が高い程、誤りが多いことを示す。
【００６０】
デコーダ／ＶＩＤＥＯエンコーダ部１６は、デコードした結果、得られた映像信号を表示部１７に供給する。
【００６１】
表示部１７は、デコーダ／ＶＩＤＥＯエンコーダ部１６から供給された映像信号に基づいて映像を表示するものである。
【００６２】
制御部１８は、受信装置１の各部を制御するものであり、ＣＰＵ（Central Processing Unit）、ＲＯＭ（Read Only Memory）、ＲＡＭ（Random Access Memory）等を備える。制御部１８は、ＡＧＣ部１５−１，１５−２の各時定数制御部４５に値が異なる時定数τ１，τ２を供給する。
【００６３】
次に本実施形態１に係る受信装置１の動作を説明する。
アンテナ１１−１，１１−２は、それぞれ、ＯＦＤＭ信号の電波を受信する。
【００６４】
チューナ１２−１，１２−２は、それぞれ、受信を希望する信号を高周波増幅し、増幅した信号をダウンコンバートして中間周波信号を生成し、中間周波増幅部１３−１，１３−２は、この中間周波信号を増幅する。
【００６５】
復調部１４−１，１４−２は、それぞれ、中間周波増幅部１３−１，１３−２が生成した中間周波信号から、ＴＳを取り出して、デコーダ／ＶＩＤＥＯエンコーダ部１６に供給する。
【００６６】
また、ＡＧＣ部１５−１，１５−２は、それぞれ、復調部１４−１，１４−２の振幅検出回路３２から供給された振幅値に基づいて利得制御信号を生成し、この利得制御信号を中間周波増幅部１３−１，１３−２に供給することにより、中間周波信号の振幅値が一定になるように制御する。
【００６７】
デコーダ／ＶＩＤＥＯエンコーダ部１６は、復調部１４−１，１４−２のそれぞれの誤り訂正回路３８の誤り訂正後の誤り率を比較して、有効なデータを選択する。
【００６８】
ＯＦＤＭ方式では、視聴中のテレビチャンネルのデジタルテレビジョン信号は、複数のキャリアを変調することによって搬送されるため、周波数選択性フェージングの影響を受けると、図６のように特定の周波数にフェージングの影響が大きく表れる。この図６は、到来するＯＦＤＭ方式のデジタルテレビジョン信号の周波数選択性フェージングによる影響を示す図である。
【００６９】
周波数選択性フェージングでは、特定の周波数の振幅が減少すると、この結果、視聴中のテレビチャンネルのデジタルテレビジョン信号の帯域全体の振幅エネルギー（平均電力）も減少する。このため、減少した受信電力を増幅するため、中間周波増幅部１３−１（又は１３−２）の利得は高くするように制御される。
【００７０】
このように、周波数選択性フェージングの影響に応じて帯域全体の振幅エネルギー（平均電力）を増加するように中間周波増幅部１３−１（又は１３−２）の利得を高くするように制御すると、減衰の影響を受けている特定の周波数の信号の利得が増加すると共に、それ以外の減衰の影響が少ない周波数の信号の利得も増加する。
【００７１】
この場合、減衰の影響が少ない周波数の信号が必要以上に増幅されてしまい、誤り訂正回路３８によって周波数選択性フェージングの影響を受けた特定の周波数のデータの誤り率が減少したときに、周波数選択性フェージングの影響が少ない周波数のデータの誤り率は増加する。
【００７２】
したがって、周波数選択性フェージングの影響により減衰する信号の周波数又は特定の周波数の減衰量が時々刻々と変化するような場合でも、時定数を大きくすることによって利得を徐々に変化させ、全帯域周波数の信号におけるデータの誤り率が急激に低下することを防止する。
【００７３】
一方、時間選択性フェージング（マルチパスフェージング）は、デジタルテレビジョン信号の全帯域周波数の受信電力減衰量が時間とともに変化する現象である。この場合、時定数を小さくすることにより受信電力の単位時間当たりの減衰量変化が利得に迅速に反映され、全帯域周波数の信号が増幅後の電力が最適になるように制御されるので、最良の受信品質が得られることになる。
【００７４】
このように、時定数が異なる受信系統を選択制御することによって周波数選択性フェージング及び時間選択性フェージング（マルチパスフェージング）の異なるフェージング環境においても受信品質が向上する。
【００７５】
デコーダ／ＶＩＤＥＯエンコーダ部１６は、有効なデータとして選択したＴＳからデジタルテレビジョン信号を取り出し、デジタルテレビジョン信号の映像信号を表示部１７に供給する。
【００７６】
以上説明したように、本実施形態１によれば、制御部１８は、ＡＧＣ部１５−１，１５−２の時定数τ１，τ２が異なるように設定するようにした。
【００７７】
従って、異なる追従性能によりデータ誤りが最も少ないＴＳが選択されるので、移動時のフェージング環境（周波数選択性フェージング、時間選択性フェージング）においても受信品質を向上させることができる。
【００７８】
（実施形態２）
実施形態２に係る受信装置は、ＡＧＣ部の基準振幅信号生成部が生成する基準振幅値を異なる値に設定するようにしたものである。
【００７９】
実施形態２に係る復調部１４−１，１４−２及びＡＧＣ部１５−１，１５−２の構成を図７に示す。
【００８０】
実施形態２に係るＡＧＣ部１５−１，１５−２のそれぞれの基準振幅信号生成部４１が生成する基準振幅値を、それぞれ、基準振幅値Ａstd１，Ａstd２として、制御部１８は、ＡＧＣ部１５−１，１５−２のそれぞれの基準振幅信号生成部４１に異なる値の基準振幅値Ａstd１，Ａstd２を供給する。本実施形態２では、Ａstd１＞Ａstd２に設定されるものとする。
【００８１】
尚、制御部１８は、基準振幅値Ａstd１，Ａstd２を受信品質に応じて変更するようにしてもよい。
【００８２】
復調部１４−１，１４−２のそれぞれのＡＤＣ３１に供給される中間周波信号は、ＡＤＣ３１のダイナミックレンジを越えない範囲でなるべく大きく増幅することが好ましい。このように中間周波信号の振幅を大きくすることによってデジタル変換精度を向上することができ、また、後段のデジタル処理にも大きな影響を与える。
【００８３】
一方、フェージング等により中間周波信号の振幅が急峻に増加すると、Ａ／ＤＣのダイナミックを越えて信号が飽和する可能性が高くなる。この場合、中間周波信号は、なるべく小さく増幅することが好ましい。このように中間周波信号の振幅が急峻に増加する場合、中間周波信号を小さくした方が良い受信特性を得ることができる。
【００８４】
そこで、弱電界時にも良好な受信性能が得られるように、アンテナ１１−１〜復調部１４−１までの経路αの中間周波信号の振幅をなるべく大きくする。それとともに、フェージング等により中間周波信号の振幅が急峻に変化する時にも良好な受信性能が得られるように、アンテナ１１−２〜復調部１４−２までの経路βの中間周波信号の振幅を小さくなるようにする。
【００８５】
ここで、復調部１４−１が復調した信号、復調部１４−２が復調した信号を受信環境に応じて適切に選択することによって最良の受信結果が得られることとなる。
【００８６】
例えば、Ａ／ＤＣのダイナミックレンジ５００ｍＶｐ−ｐに対して経路αの中間周波数信号の平均振幅を４００ｍＶｐ−ｐに設定し、経路βの平均振幅を２００ｍＶｐ−ｐに設定する。
【００８７】
このように、制御部１８が、ダイバーシティ受信システムにおいて、ＡＧＣ部１５−１，１５−２のそれぞれの基準振幅値Ａstd１，Ａstd２を異なる値に設定することにより、基準電力も異なり、誤り率が小さい方のＴＳが選択される。このため、静止時の弱電界時においても移動時のフェージング下においても、最良の受信性能を得ることができる。
【００８８】
尚、本発明を実施するにあたっては、種々の形態が考えられ、上記実施形態に限られるものではない。
例えば、上記実施形態では、時定数τ１，τ２を予め設定された値として説明した。しかし、時定数τ１，τ２は予め設定された値でなくてもよく、制御部１８が、時定数制御部４５を制御して、フィルタ４３に良好な時定数を設定するようにしてもよい。
【００８９】
例えば、ＡＧＣ部１５−１，１５−２のそれぞれの利得の最小から最大までの追従時間を、１０ｍｓ、１００ｍｓとしてもよい。
【００９０】
また、上記実施形態１では、ＡＧＣ部１５−１，１５−２は、それぞれ、中間周波増幅部１３−１，１３−２に対して利得制御を行なうものとして説明した。しかし、中間周波増幅部１３−１，１３−２よりも前段の高周波増幅部（ＬＮＡ２１）の利得を制御するようにしてもよい。ただし、高周波増幅部では、所望の帯域のみならず周辺周波数全体に追従して増幅を行っているので受信品質向上の効果は、上記実施形態１と比較して小さくなる。
【００９１】
また、上記実施形態１と実施形態２とを組み合わせて、制御部１８は、時定数制御部４５の時定数と基準振幅信号生成部４１の基準振幅信号の基準振幅値を、ＡＧＣ部１５−１，１５−２とで異なるように設定してもよい。
【００９２】
上記実施形態１，２では、経路をアンテナ１１−１から復調部１４−１、アンテナ１１−２から復調部１４−２の２つとして説明した。しかし、この経路は３つ以上としてもよい。
【符号の説明】
【００９３】
１・・・受信装置、２・・・送信装置、１３−１，１３−２・・・中間周波増幅部、１４−１，１４−２・・・復調部、１５−１，１５−２・・・ＡＧＣ部、１８・・・制御部、２１・・・ＬＮＡ、３２・・・振幅検出回路、４１・・・基準振幅信号生成部、４５・・・時定数制御部
【図１】
2010206312.tif 000003
【図２】
2010206312.tif 000004
【図３】
2010206312.tif 000005
【図４】
2010206312.tif 000006
【図５】
2010206312.tif 000007
【図６】
2010206312.tif 000008
【図７】
2010206312.tif 000009